(57)【要約】      （修正有）【課題】良品率を向上し、生産コストを削減できるコンパクト画像センサーモジュールの提供。【解決手段】コンパクト画像センサーモジュールに関わるもので、主に基板の上に、上表面と下表面を設け、上表面に第１電極を形成し、下表面に第２電極に対応する第１電極と電気接続し、チップを基板の上表面に設け、その上に検出区域と半田パッドを形成する。複数本の導線はチップの半田パッドにより基板の第１電極に電気接続する。接着剤は基板の上表面に塗布し、鏡台にメスねじを設け、接着剤により基板の上表面に接着し、チップを囲む。接着剤は鏡台に押しつぶされ、導線に被せる。鏡台の側壁および鏡台の基板を切断する。鏡円筒にオスねじを設け、鏡台のメスねじに締めつける。【選択図】図２
0003120044.tif 000002
【実用新案登録請求の範囲】
【請求項１】
一種のコンパクト画像センサーモジュール構造において、基板、チップ、複数本の導線、接着剤、鏡台及び鏡円筒を包含し、
基板に上表面と下表面を設け、上表面に第１電極を形成し、下表面に第２電極を設けて、第１電極に対応し、
チップを基板の上表面に設け、その上に検出区域と半田パッドを形成し、
複数本の導線はチップの半田パッドにより基板の第１電極に電気接続し、
接着剤は基板の上表面に塗布し、
鏡台に側壁およびメスねじを設け、側壁は接着剤により基板の上表面に接着し、チップを囲み、
接着剤は鏡台に押しつぶされ、導線に被せ、
鏡円筒はオスねじを設け、鏡台のメスねじに締めつけることを特徴とする、コンパクト画像センサーモジュール。
【請求項２】
請求項１記載のコンパクト画像センサーモジュールにおいて、基板の上表面にフランジ層を設け、接着剤はこのフランジ層に塗布し、鏡台の側壁は接着剤によりフランジ層に設けることを特徴とする、コンパクト画像センサーモジュール。
【請求項３】
請求項１記載のコンパクト画像センサーモジュールにおいて、鏡台一部分の側壁とこの鏡台に粘着する基板を切除し、小さい寸法のモジュールにすることを特徴とする、コンパクト画像センサーモジュール。
【請求項４】
請求項１記載のコンパクト画像センサーモジュールにおいて、接着剤はチップを覆い、チップの検出区域のみを露出することを特徴とする、コンパクト画像センサーモジュール。
【考案の詳細な説明】
【技術分野】
【０００１】
本考案はコンパクト画像センサーモジュールおよびその製造方法に関わるもので、特に一種の良品率の向上、製品をより軽薄短小が有効に実現できる。
【背景技術】
【０００２】
図１に示すものは、一種の画像センサーモジュール構造の断面図である。基板に上表面と下表面を設け、上表面に第１電極を形成し、下表面に第２電極に対応する第１電極と電気接続する。チップを基板の上表面に設け、その上に検出区域と半田パッドを形成する。複数本の導線はチップの半田パッドにより基板の第１電極に電気接続する。接着剤、基板の上表面に塗布する。鏡台にメスねじを設け、接着剤により基板の上表面に接着し、チップを囲む。鏡円筒にオスねじを設け、鏡台のメスねじに締めつける。
【０００３】
ただし、前記の画像センサーモジュールは接着剤を塗布するとき、接着剤量の管理がうまくいかないとき、接着剤が鏡台より露出し、仕上げたモジュールの大きさがまちまちになり、サイズの大きいモジュールを廃棄することなり、極めて浪費である。
【考案の開示】
【考案が解決しようとする課題】
【０００４】
本考案の主な目的は、一種のコンパクト画像センサーモジュールおよびその製造方法を提供し、良品率を向上し、生産コストを削減できる。
【０００５】
本考案のもう一つの目的は、一種のコンパクト画像センサーモジュールおよびその製造方法を提供し、製品体積を小さくすることにより、軽薄短小を実現する。
【０００６】
本考案は基板に上表面と下表面を設け、上表面に第１電極を形成し、下表面に第２電極を設けて、第１電極に対応する。チップを基板の上表面に設け、その上に検出区域と半田パッドを形成する。複数本の導線はチップの半田パッドにより基板の第１電極に電気接続する。接着剤、基板の上表面に塗布する。鏡台にメスねじを設け、接着剤により基板の上表面に接着し、チップを囲む。鏡円筒にオスねじを設け、鏡台のメスねじに締めつける。
【課題を解決するための手段】
【０００７】
請求項１の考案は、一種のコンパクト画像センサーモジュール構造において、基板、チップ、複数本の導線、接着剤、鏡台及び鏡円筒を包含し、
基板に上表面と下表面を設け、上表面に第１電極を形成し、下表面に第２電極を設けて、第１電極に対応し、
チップを基板の上表面に設け、その上に検出区域と半田パッドを形成し、
複数本の導線はチップの半田パッドにより基板の第１電極に電気接続し、
接着剤は基板の上表面に塗布し、
鏡台に側壁およびメスねじを設け、側壁は接着剤により基板の上表面に接着し、チップを囲み、
接着剤は鏡台に押しつぶされ、導線に被せ、
鏡円筒はオスねじを設け、鏡台のメスねじに締めつけることを特徴とする、コンパクト画像センサーモジュールとしている。
請求項２の考案は、請求項１記載のコンパクト画像センサーモジュールにおいて、基板の上表面にフランジ層を設け、接着剤はこのフランジ層に塗布し、鏡台の側壁は接着剤によりフランジ層に設けることを特徴とする、コンパクト画像センサーモジュールとしている。
請求項３の考案は、請求項１記載のコンパクト画像センサーモジュールにおいて、鏡台一部分の側壁とこの鏡台に粘着する基板を切除し、小さい寸法のモジュールにすることを特徴とする、コンパクト画像センサーモジュールとしている。
請求項４の考案は、請求項１記載のコンパクト画像センサーモジュールにおいて、接着剤はチップを覆い、チップの検出区域のみを露出することを特徴とする、コンパクト画像センサーモジュールとしている。
【考案の効果】
【０００８】
本考案は鏡台の側壁を切除することにより、モジュールの体積を小さくできるほか、製品寸法の一致性が取れる。接着剤は導線およびチップに覆うため、より丈夫な構造である。
【考案を実施するための最良の形態】
【０００９】
図２に示すものは、本考案のコンパクト画像センサーモジュールの概略図である。基板４０、チップ４２、複数本の導線４４、接着剤４６、鏡台４８、および鏡円筒５０より構成する。
基板４０に上表面５２と下表面５４を設け、上表面５２に第１電極５６を設け、下表面５４に、第２電極５８に対応する第１電極５６と電気接続する。
【００１０】
チップ４２、基板４０の上表面５２に設け、その上に検出区域６０と半田パッド６２を設ける。
複数本の導線４４は、チップ４２の半田パッド６２により、基板４０の第１電極５６に電気接続する。
接着剤４６は粘性グルーであり、基板４０の上表面５２に塗布し、第１電極５６の周りに導線４４で覆う。
【００１１】
鏡台４８に側壁４９およびメスねじ６４を設け、側壁４９は接着剤４６により、基板４０の上表面５２に接着し、チップ４２を囲む。鏡台４８一部の側壁４９および鏡台４８に粘着する基板４０を切断し、小さい寸法のモジュールにする。
鏡円筒５０にオスねじ６６を設け、鏡台４８のメスねじ６４に締めつける。
【００１２】
図３に示すものは、本考案のコンパクト画像センサーモジュールのもう一つの実施図式である。基板４０、チップ４２、フランジ層４３、複数本の導線４４、接着剤４６、鏡台４８および鏡円筒５０より構成する。
基板４０に上表面５２と下表面５４を設け、上表面５２に第１電極５６を設け、下表面５４に、下第２電極５８を設けて、第１電極５６に対応する。
【００１３】
フランジ層４３は基板４０の上表面５２に接着して、基板４０と溝４５を形成する。
チップ４２は基板４０の上表面５２の溝４５に設け、その上部に検出区域６０と半田パッド６２を設ける。
複数本の導線４４は、チップ４２の半田パッド６２により、基板４０の第１電極５６に電気接続する。
接着剤４６は粘性グルーであり、フランジ層４３に塗布する。
【００１４】
鏡台４８は側壁４９およびメスねじ６４を設け、接着剤４４により、フランジ層４３に接着し、チップ４２を囲む。接着剤４６は鏡台４８に押しつぶされた後、導線４４およびチップ４０の半田パッド６２に覆う。鏡台４８一部の側壁４９、鏡台４８に接着するフランジ層４３と基板４０の一部を切断し、小さい寸法のモジュールにする。
鏡円筒５０にオスねじ６６を設け、鏡台４８のメスねじ６４に締めつける。
【図面の簡単な説明】
【００１５】
【図１】公知技術の画像センサーモジュールを示す図である。
【図２】本考案のコンパクト画像センサーモジュールを示す図である。
【図３】本考案のコンパクト画像センサーモジュールのもう一つの実施例である。
【符号の説明】
【００１６】
４０  基板
４２  チップ
４３  フランジ層
４４  複数本の導線
４５  溝
４６  接着剤
４８  鏡台
５０  鏡円筒
５２  上表面
５４  下表面
５６  第１電極
５８  第２電極
６０  検出区域
６２  半田パッド
６４  メスねじ
６６  オスねじ
【図１】
0003120044.tif 000003
【図２】
0003120044.tif 000004
【図３】
0003120044.tif 000005